(57)【要約】【課題】アスペクト比の高い形状でも安定した離型を実現し、高品質な微細転写形状を形成する形状転写方法を提供する。【解決手段】金型３０と被転写体３２を所定温度以上に加熱して接触させる接触工程Ａと、金型３０もしくは被転写体３２に一定圧力を加えて、金型３０の微細形状を被転写体３２に転写させる転写工程Ｂ〜Ｃと、所定温度まで冷却させた後、金型３０と被転写体３２を剥離する離型工程Ｄ〜Ｅとを備え、前記接触工程Ａの周囲圧力Ｐ１より前記離型工程Ｄ〜Ｅの周囲圧力Ｐ２の方が低くなるように制御する。【選択図】図３
2006137019.tif 000002
【特許請求の範囲】
【請求項１】
金型と被転写体を接触させる接触工程と、前記金型と前記被転写体との少なくともいずれか一方に圧力を加えて前記金型の形状を前記被転写体に転写させる転写工程と、前記金型と前記被転写体を剥離する離型工程とにより、前記金型形状を前記被転写体に転写する形状転写方法において、
前記接触工程における前記金型と前記被転写体との周囲の雰囲気の圧力をＰ１としたとき、前記離型工程における前記金型と前記被転写体との周囲の雰囲気の圧力をＰ２＜Ｐ１の関係を満たすＰ２とすることを特徴とする形状転写方法。
【請求項２】
前記圧力Ｐ２とＰ１との関係を、１０≦Ｐ２／Ｐ１≦１０６に設定したことを特徴とする請求項１記載の形状転写方法。
【請求項３】
金型と被転写体を接触させる接触工程と、前記金型と前記被転写体との少なくともいずれか一方に圧力を加えて前記金型の形状を前記被転写体に転写させる転写工程と、前記金型と前記被転写体を剥離する離型工程とにより、前記金型形状を前記被転写体に転写する形状転写方法において、
前記接触工程の前に前記被転写体を所望の温度Ｔ１に加熱する加熱工程と、前記離型工程の前に前記被転写体を所望の温度Ｔ２に冷却する冷却工程とを備え、かつ前記被転写体と前記金型の接触面に垂直な方向における前記被転写体の線膨張係数を、前記接触面に平行な方向の線膨張係数より大きく設定したことを特徴とする形状転写方法。
【請求項４】
前記被転写体として、樹脂に指向性のある液晶ポリマーを用いたことを特徴とする請求項３記載の形状転写方法。
【発明の詳細な説明】
【技術分野】
【０００１】
本発明は、微細な金型形状を被転写体に転写する形状転写方法に関するものである。
【背景技術】
【０００２】
近年、光学商品あるいはバイオ関連商品の開発において微細な形状を転写させる技術が求められている。例えば光学商品分野では、ディスプレイ用パネル表面に数十ｎｍ〜数百ｎｍの微細凹凸を設けた反射防止パネル，数百ｎｍ〜数十μｍの回折形状を設けたホログラムあるいはレンズ，導波路などの光学素子がある。
【０００３】
また、バイオ関連商品分野では、幅数十ｎｍ〜数百ｎｍで高アスペクト比を有するピラーで血球，ＤＮＡ，蛋白質を分離するバイオチップなどがある。
【０００４】
従来、このような微細形状を形成するためには、フォトリソグラフィー法あるいはエッチング法が利用されてきた。しかし、この方法は、時間あたりの処理能力が低く、かつ工程数が多く、管理が大変であってコストが高い。
【０００５】
最近、この方法に代わる技術としてナノインプリント法が用いられている（特許文献１参照）。
【０００６】
ナノインプリント方法について図７（ａ）〜（ｄ）を参照して説明する。
【０００７】
図７（ａ）において、５０は予め凹凸パターン５１を形成したＳｉＯ２製の金型、５２はレジスト、５３は半導体であり、図７（ｂ）に示すように、凹凸パターン５１を形成した金型５１を、半導体５３の表面に塗布したレジスト５２に押し付け、図７（ｃ）に示すように、凹凸パターンを転写させ、そのレジストをマスクとして半導体５３の表面を加工することで、図７（ｄ）に示すように、半導体５３の表面に微細な凹凸形状５４を形成する。
【０００８】
また、アスペクト比の高い形状を転写させるため、転写工程を真空中で行う方法が射出成形などで広く使用されている。
【特許文献１】米国特許第５７７２９０５号明細書
【発明の開示】
【発明が解決しようとする課題】
【０００９】
しかしながら、前記従来の方法にてアスペクト比の高い形状を転写させると、真空中で転写させた場合、金型の微細形状に充填された被転写体が減圧吸着された状態になり、金型から剥離することができない、もしくは形状が崩れるという問題がある。
【００１０】
本発明は、前記従来の技術の課題を解決し、アスペクト比が高い形状の成形品でも離型することができる形状転写方法を提供することを目的とする。
【課題を解決するための手段】
【００１１】
前記目的を達成するため、請求項１に記載の発明は、金型と被転写体を接触させる接触工程と、前記金型と前記被転写体との少なくともいずれか一方に圧力を加えて前記金型の形状を前記被転写体に転写させる転写工程と、前記金型と前記被転写体を剥離する離型工程とにより、前記金型形状を前記被転写体に転写する形状転写方法において、前記接触工程における前記金型と前記被転写体との周囲の雰囲気の圧力をＰ１としたとき、前記離型工程における前記金型と前記被転写体との周囲の雰囲気の圧力をＰ２＜Ｐ１の関係を満たすＰ２とすることを特徴とするものである。
【００１２】
請求項２に記載の発明は、請求項１記載の形状転写方法において、圧力Ｐ２とＰ１との関係を、１０≦Ｐ２／Ｐ１≦１０６に設定したことを特徴とする。
【００１３】
請求項３に記載の発明は、金型と被転写体を接触させる接触工程と、前記金型と前記被転写体との少なくともいずれか一方に圧力を加えて前記金型の形状を前記被転写体に転写させる転写工程と、前記金型と前記被転写体を剥離する離型工程とにより、前記金型形状を前記被転写体に転写する形状転写方法において、前記接触工程の前に前記被転写体を所望の温度Ｔ１に加熱する加熱工程と、前記離型工程の前に前記被転写体を所望の温度Ｔ２に冷却する冷却工程とを備え、かつ前記被転写体と前記金型の接触面に垂直な方向における前記被転写体の線膨張係数を、前記接触面に平行な方向の線膨張係数より大きく設定したことを特徴とするものである。
【００１４】
請求項４に記載の発明は、請求項３記載の形状転写方法において、被転写体として、樹脂に指向性のある液晶ポリマーを用いたことを特徴とする。
【発明の効果】
【００１５】
本発明によれば、アスペクト比の高い形状の転写を可能にし、従来ではフォトリソグラフィー法あるいはエッチング法による加工でしか実現することができなかった微細形状の転写を必要とする商品を安価に成形することができる。
【発明を実施するための最良の形態】
【００１６】
以下、本発明の実施の形態について図面を参照しながら説明する。
【００１７】
（実施の形態１）
図１は本発明の実施の形態１における微細形状転写装置の概略構成図であって、上型１０と下型１１とからなるナノインプリント装置であり、上型１０と下型１１との間に樹脂もしくはガラス製の被転写体４と、微細形状パターンが表面に形成された金型５を対向させた構成である。
【００１８】
上型１０は、プレート１と弾性パッド３で構成され、その弾性パッド３とプレート１との間に形成された空間に、液体もしくは気体２を循環させている（液体／気体の入出配管は図示せず）。弾性パッド３の材質としてＳＵＳなどの金属膜もしくは耐熱性の樹脂膜などを用い、厚みは３０μｍ〜３００μｍ程度とした。この弾性パッドの選定には、耐熱温度あるいは耐摩耗性を考慮することが重要であり、必要に応じてＳｉＮあるいはＤＬＣなどの耐摩耗性薄膜で表面処理を施すことも有効である。
【００１９】
さらに、温調プレート７には、水あるいは油などの媒体を循環および温度調節する装置（図示せず）が接続されており、温調プレート７自体を所定の温度に維持する構造になっている。
【００２０】
次に、可動機構を有する加熱装置１２を設置して、被転写体４および金型５の表面を加熱するために使用する。本例では加熱装置１２として抵抗ヒータ，ハロゲンランプなどを用い、輻射熱を利用した表面加熱方法を採用した。しかし、この加熱方法は一例であり、金型５あるいは被転写体４を加熱する方法としては、輻射熱を利用した加熱方法の他に抵抗ヒータあるいは誘導加熱により発生させた熱を伝熱させる加熱方法、もしくはマイクロ波などを用いて金型５および被転写体４を直接熱する加熱方法を採用することも可能である。
【００２１】
下型１１は、金型固定プレート６と温調プレート７とから構成されており、この金型固定プレート６には金型５を機械的に固定する機構（図示せず）を有している。
【００２２】
図２は前記金型固定プレートの拡大断面図であり、金型５の周囲に、被転写体４を保持して金型５と所定の空間を設ける保持機構２０を設置し、該保持機構２０は摺動することにより前記空間を可変することが可能である。
【００２３】
金型固定プレート６には、金型５を吸引固定するための吸気路２１を設置し、さらに吸気路２１とは別に金型５の表面から空気を噴射する噴気路２２を設置し、微細形状を転写させた被転写体４を剥離する際に空気を噴射することを可能にしている。ただし、この噴気路２２はなくてもよい。
【００２４】
以上に説明した装置を用いて、接触工程から離型工程において周囲の圧力制御を実施した。その工程について図３のＡ〜Ｅを参照して説明する。
【００２５】
図３のＡ〜Ｅは、金型３０の表面に形成された微細形状３１を被転写体３２の表面に転写させて、該微細形状３１の転写形状３４を形成する本実施の形態１の方法を説明するための概略図であって、所定の温度以上に加熱した金型３０と被転写体３２を接触させる接触工程Ａと、金型３０もしくは被転写体３２に圧力を加えることにより、微細形状３１内に被転写体３２の一部を充填させる転写工程Ｂ〜Ｃと、金型３０および被転写体３２を所定温度まで冷却した後、金型３０と被転写体３２を剥離する離型工程Ｄ〜Ｅを示している。
【００２６】
また、金型３０および被転写体３２の周囲の圧力制御として、接触工程から転写工程Ａ〜Ｃでは、図示していないコンプレッサーあるいは真空ポンプ等の圧力制御手段により、圧力Ｐ１に、離型工程では圧力Ｐ２に設定し、かつ、Ｐ１＞Ｐ２になるように設定した。そのことにより、離型工程では金型の微細形状内に意図的に発生させる微小空間３５の圧力はＰ１と同等もしくは近い値を示し、周囲の圧力Ｐ２より高い圧力を示すため、微細形状内に存在する転写形状３４を押し出す力が発生し、離型がしやすくなる。
【００２７】
なお、必要に応じて、微細形状３１以外の箇所に気体を噴射する通路（図示せず）を設け、離型時に噴射させるのも効果的である。本実施の形態における具体数値として、Ｐ１は１０−１〜１０２Ｐａ、Ｐ２は１０−４〜１０−２Ｐａに設定したが、必ずしもこの範囲内にする必要はなく、転写形状などにあわせて最適な圧力設定をすることが望ましい。
【００２８】
さらに、転写工程Ｂ〜Ｃにおいて、微細形状３１へ完全に被転写体が充填するのではなく、微小な空間３５が存在するように、金型および被転写体の温度，加圧力時間を制御して調整した。
【００２９】
なお、実験によれば前記Ｐ１，Ｐ２の圧力比Ｐ１／Ｐ２が１０以上になると、被転写体の転写形状を崩すことなく離型が可能であった。また、圧力比Ｐ１／Ｐ２が１０６より大きいと微小空間から発生する圧力が大きくなり過ぎ、被転写体の転写形状が崩れる結果となった。つまり、１０≦Ｐ２/Ｐ１≦１０６の間で圧力を設定することにより、転写形状を崩すことなく離型性の良好な転写を実現することができた。
【００３０】
（実施の形態２）
また、被転写体として液晶ポリマーなどの配向性を有した樹脂板材を使用することによって、アスペクト比の高い形状の離型性を向上させることができる。
【００３１】
図４は本発明の実施の形態２における微細形状転写方法の説明図であり、被転写体４０として射出成形などで予備成形した液晶ポリマー製の板材を用いた。液晶ポリマーは射出成形により予備成形すると、射出方向に向かって樹脂の配向が発生し、射出方向とその直角方向では線膨張係数が異なる性質がある。具体的には、射出方向であるＸ方向の線膨張係数は通常の非結晶性ポリマーの線膨張係数より約１桁ほど小さく、射出方向と直角の方向であるＺ方向の線膨張係数は約１.２〜１.５倍ほど大きい。
【００３２】
次に、加熱工程にて所定温度Ｔ１以上に加熱し、接触工程にて加熱した被転写体４０に対して微細形状を有する金型４１を押し付け、転写工程にて微細形状４２を転写させる。そのときの被転写体表面における樹脂配向を図５（ａ）に示す。
【００３３】
転写終了後、冷却工程にて樹脂温度を所定温度Ｔ２まで低下させると、図５（ｂ）に示すように、樹脂配向に対して直角方向であるＺ方向およびＹ方向において収縮量が大きく、金型から剥離する方向へ収縮するため、金型４１の微細形状４３と被転写体４０の転写形状４２との接触面に空間が発生し、離型工程における離型性が向上する。
【００３４】
ここで、被転写体の収縮による微細形状の根元への歪み発生を防ぐため、図６に示すように、被転写体４０を冷却するときは、被転写体４０の転写形状４２に対して反対の面から冷却するように温度制御して、転写形状４２の先端が最後に冷却するようにする。そのことにより、樹脂が収縮するとき転写形状４２の根元４４は高温であるため、歪みを緩和することができる。
【００３５】
また、樹脂の配向方向であるＸ方向の収縮率が、通常の樹脂よりも約１桁低いことから、収縮による寸法変化が少ない。そのため、多数のピラーによって形成される微細な隙間にタンパク質あるいは血球，ＤＮＡなどを通過させて分離するバイオチップなどにおいて、隙間精度が必要な方向を樹脂配向に合わせることによって転写精度が良くなる。
【００３６】
本実施の形態における内容は、温度，圧力，加圧速度などのプロセス条件によって樹脂の配向は変動するため、最適なプロセス条件の設定が必要である。
【産業上の利用可能性】
【００３７】
本発明は、マイクロメートルからナノメートルオーダの微細形状、もしくは高アスペクト比を有する形状を転写させるナノインプリントに関する形状転写方法に適用され、光学商品あるいはバイオ関連商品に用いられている微細形状形成を、従来まで利用されてきたフォトリソグラフィー法あるいはエッチング法に代わって、安価に実現することができる。
【図面の簡単な説明】
【００３８】
【図１】本発明の実施の形態１における微細形状転写装置の概略構成図
【図２】実施の形態１における金型固定プレートの拡大断面図
【図３】Ａ〜Ｅは、微細形状の転写形状を形成する実施の形態１の方法を説明するための概略図
【図４】本発明の実施の形態２における微細形状転写方法の説明図
【図５】（ａ）は本実施の形態における被転写体表面における樹脂配向状態の説明図、（ｂ）は本実施の形態において転写終了後、樹脂温度を所定温度まで低下させた状態の説明図
【図６】本実施の形態における被転写体の転写形状に対する温度制御の説明図
【図７】（ａ）〜（ｄ）は従来のナノインプリント方法の説明図
【符号の説明】
【００３９】
１  プレート
２  流体（気体）
３  弾性パッド
４  被転写体
５  金型
６  金型固定プレート
７  温調プレート
１０  上型
１１  下型
１２  加熱装置
２０  保持機構
２１  吸気路
２２  噴気路
３０  金型
３１  金型の微細形状
３２  被転写体
３３  圧力
３４  転写形状
３５  微小空間
４０  被転写体
４１  金型
４２  転写形状
４３  金型の微細形状
４４  転写形状の根元
【図１】
2006137019.tif 000003
【図２】
2006137019.tif 000004
【図３】
2006137019.tif 000005
【図４】
2006137019.tif 000006
【図５】
2006137019.tif 000007
【図６】
2006137019.tif 000008
【図７】
2006137019.tif 000009